(57)【特許請求の範囲】
【請求項１】
針（１）と、針と連結するための針ベース（２）と、シール（３）と、芯棒（５）と、芯棒の一端部に連結されるピストン（４）と、外筒（６）と、外筒の先端部に段付部（６１）を介すことにより外筒よりも小径に形成された針ベース室（６２）と、を備え、前記外筒（６）の底部に楕円状の鍔部（６９）が形成されると共に、前記針ベース室（６２）の頂部が、前記針ベース（２）が貫通する開口部を有した頂端板（６３）とされたオートディスエーブル安全注射器において、
芯棒位置決め板（７）を更に含み、芯棒位置決め板（７）は芯棒（５）が直線運動しかできないよう規制可能に鍔部（６９）に嵌められ、
前記頂端板（６３）における前記開口部は、その内周面に複数の突片（６５）とこれら突片間に形成された凹溝（６７）とを有してなるスプライン孔（６４）として形成されており、
前記針ベース（２）は、前記針（１）が取り付けられる円錐継手（２６）と、該円錐継手の後部に形成されたリング（２２）と、前記頂端板に形成された前記スプライン孔（６４）の前記凹溝（６７）を通過可能でかつ前記突片（６５）を通過不能なスプライン片（２１）とを備えており、前記スプライン片（２１）とリング（２２）との間にはシール（３）を嵌め込むためのネック部（２）が形成されており、
前記針ベース（２）の前記リング（２２）の内側は、前記円錐継手（２６）側が塞がれる一方で該円錐継手（２６）とは反対側が開口した有底状のキャビティ（２７）とされており、該キャビティ（２７）の底部に係止溝（２３）が形成されるとともに該キャビティ（２７）の内壁には螺旋溝（２４）が形成されており、
前記芯棒（５）は先端にボス部（５６）を有しており、該ボス部（５６）の先端部に、前記係止溝（２３）と協働して係止機構を構成する係止ヘッド（５１）が設けられるとともに、ボス部（５６）の側壁に前記螺旋溝（２４）と係合する凸部（５２）が設けられており、
使用前の組立てられた状態においては、前記針ベース（２）の前記円錐継手（２６）に針（１）が取付けられるとともに、該針ベース（２）が、前記リング（２２）は前記針ベース室（６２）内に位置しかつ前記ネック部（２）は前記頂端板（６３）の前記開口部を介して針ベース室から外方に突出するように、前記針ベース室（６２）内に組み付けられ、この際、ネック部（２）に設けられた前記スプライン片（２１）は、前記開口部を形成している前記スプライン孔（６４）の前記突片（６５）に対応して前記頂端板（６３）の外面に当接しており、
使用後には、前記芯棒（５）を前記針ベース（２）に向けてさらに押し込むことにより、芯棒（５）の前記ボス部（５６）が針ベース（２）の前記キャビティ（２７）に挿入係合するとともに、係止ヘッド（５１）が前記係止溝（２３）に係合し、
前記ボス部（５６）が前記キャビティ（２７）に挿入係合する際に、前記凸部（５２）が前記螺旋溝（２４）と係合し、このため芯棒（５）が押し込まれることにより、該芯棒（５）が前記芯棒位置決め板（７）に回転規制されつつ前記凸部（５２）が前記螺旋溝（２４）に沿って進行し、これにより針ベース（２）が、前記スプライン片（２１）が前記頂端板（６３）の前記スプライン孔（６４）の前記凹溝（６７）に対応する位置に回転して、スプライン片（２１）がスプライン孔（６４）の凹溝（６７）を通過可能な状態とされ、
その後芯棒（５）を後方に引き抜くことにより、前記係止ヘッド（５１）と前記係止溝（２３）との係合作用によって、前記スプライン片（２１）が前記凹溝（６７）を通過して針ベース（２）が芯棒（５）と共に引き抜き方向に移動するよう構成されていることを特徴とするオートディスエーブル安全注射器。
【請求項２】
突片（６５）に針ベース（２）の旋回角度を規制するための位置規制凸台（６６）を設けており、スプライン片（２１）の底部が係合角（２８）を有する傾斜面であることを特徴とする請求項１に記載のオートディスエーブル安全注射器。
【請求項３】
外筒（６）の鍔部（６９）に嵌められる２つの半楕円状の芯棒位置決め板（７）の中間部にＴ字型の溝を設け、２つの半楕円状の芯棒位置決め板（７）を組み合わせて鍔部（６９）に被せたとき、その中間部は芯棒（５）が直線運動しかできないように規制する十字型の溝になることを特徴とする請求項２に記載のオートディスエーブル安全注射器。
【請求項４】
スプライン孔（６４）に１つまたは１つ以上の凹溝（６７）を設け、針ベース（２）の外壁に１つ又は１つ以上の、凹溝（６７）を貫通可能であるとともに形状が凹溝（６７）と同一であるスプライン片（２１）を設け、凹溝（６７）及びスプライン片（２１）の軸方向の形状が三角形、矩形、長方形、台形、セクター形、または半円形のいずれかであることを特徴とする請求項３に記載のオートディスエーブル安全注射器。
【請求項５】
リング（２２）のキャビティ（２７）の内壁に１つ又は１つ以上の螺旋溝（２４）を設け、芯棒５のボス部５６の側壁に１つ又は１つ以上の、螺旋溝（２４）と係合する凸部（５２）を設け、螺旋溝（２４）及び凸部（５２）の断面形状が三角形、矩形、長方形、台形、セクター形、または半円形のいずれかであることを特徴とする請求項４に記載のオートディスエーブル安全注射器。
【請求項６】
ピストン（４）は芯棒（５）のシールディスク（５５）、又は芯棒（５）のピストンヘッド（５）とピストンリング（５９）との組み合わせのいずれかであり、ピストンヘッド（５８）の側壁に１つ又は１つ以上の、ピストンリング（５９）が嵌装可能なピストン溝（５７）を設けていることを特徴とする請求項５に記載のオートディスエーブル安全注射器。
【請求項７】
位置規制凸台（６６）は、針ベース（２）の旋回角度が９０度を超えないように規制し、スプライン片（２１）の底部は０〜２５度の係合角（２８）の傾斜面であることを特徴とする請求項６に記載のオートディスエーブル安全注射器。
【請求項８】
芯棒（５）の基端部に引きちぎることができる位置規制片（５４）を設けていることを特徴とする請求項７に記載のオートディスエーブル安全注射器。
【発明の詳細な説明】
【技術分野】
【０００１】
本発明は、注射器に関し、特に針ベースが外筒にしっかり固着できるとともに、自動的に針を弛めて内方へ後退させることによって、双方向保護を達成する破壊可能なオートディスエーブル安全注射器に関する。
【背景技術】
【０００２】
医療分野では、交差感染を防ぐために、使い捨て型の注射器が広く使われている。使い捨て型の注射器は、医療従事者により注射完了後に芯棒が折られることなどによって使い捨ての目的を達成するが、オートディスエーブル後の注射器は、後処理において、医療従事者を突き刺したり、又は引っかいたりして傷つけやすく、新たな感染の機会をもたらすという欠点があるので、患者及び医療従事者の双方を保護する（以下、「双方向保護」という）という目的を実現できていない。
【０００３】
現在、双方向保護の目的を達成するため、既存及び特許出願済みの安全注射器において、手動にて針がシリンダー内に後退する型（以下、「手動針筒内後退型」という）の構成を用いたものは、基本的には、芯棒と針ベースが、芯棒がシリンダーの先端まで押された時に互いに係合し、芯棒が戻される時に針ベースを針とともに外筒内へ引っ張り込む構成を用いている。このような構成によれば、使用済みの針が医療従事者を刺して傷つけることを避けることができる。
【発明の開示】
【発明が解決しようとする課題】
【０００４】
しかし、手動針筒内後退型安全注射器は、針ベースと外筒との接続という課題があり、つまり、ゴムリング又は針、針ベース自体の凸輪、凸ボス、凸ループのような構成にて外筒のある個所と締り嵌めて対応する場合、その接続を堅固にする必要があるが、あまり堅固しすぎてもいけない。この接続をあまりにも堅固にすると、破壊時に針ベースが後退しない恐れがあるし、一方、この接続がしっかりされていないと、液漏れと、注射時に針が自動的に後退することを招くことになり、針が自動的に後退すると、注射ができなくなる。従来の解決方案には、針台又は針ベースにねじを設けているものがあるが、針台又は針ベースは堅固に外筒へ固着されるけれども、いずれも手で直接的又は間接的にねじ連結を解放する必要があり、ねじ連結を解放する作業を作業者の主観意識に委ねると、使い捨てのものが破壊できるか否かという隠れた危険性がある。と同時に、針にねじをきると、この針は非標準の針になり、医療従事者が使用する際に針を取り替えるのに不便である。要するに、いかに確実に患者と医療従事者をともに保護するかということが、長年医療分野において悩んできた課題である。
【０００５】
本発明は、針ベースを外筒にしっかりと固定できるとともに、自動的に針を弛めて内方へ後退させることによって、確実に患者と医療従事者への双方向保護を達成でき、構成が簡易で、使用が便利で、破壊可能なオートディスエーブル安全注射器を提供することにある。
【課題を解決するための手段】
【０００６】
本発明は、このような目的を実現するために、針と、針と連結するための針ベースと、シールと、芯棒と、芯棒の一端部に連結されるピストンと、外筒と、外筒の先端部に段付部を介すことにより外筒よりも小径に形成された針ベース室と、を備え、前記外筒の底部に楕円状の鍔部が形成されると共に、前記針ベース室の頂部が、前記針ベースが貫通する開口部を有した頂端板とされたオートディスエーブル安全注射器において、
芯棒位置決め板を更に含み、芯棒位置決め板は芯棒が直線運動しかできないよう規制可能に鍔部に嵌められ、前記頂端板における前記開口部は、その内周面に複数の突片とこれら突片間に形成された凹溝とを有してなるスプライン孔として形成されており、前記針ベースは、前記針が取り付けられる円錐継手と、該円錐継手の後部に形成されたリングと、前記頂端板に形成された前記スプライン孔の前記凹溝を通過可能でかつ前記突片を通過不能なスプライン片とを備えており、前記スプライン片とリングとの間にはシールを嵌め込むためのネック部が形成されており、前記針ベースの前記リングの内側は、前記円錐継手側が塞がれる一方で該円錐継手とは反対側が開口した有底状のキャビティとされており、該キャビティの底部に係止溝が形成されるとともに該キャビティの内壁には螺旋溝が形成されており、前記芯棒は先端にボス部を有しており、該ボス部の先端部に、前記係止溝と協働して係止機構を構成する係止ヘッドが設けられるとともに、ボス部の側壁に前記螺旋溝と係合する凸部が設けられており、使用前の組立てられた状態においては、前記針ベースの前記円錐継手に針が取付けられるとともに、該針ベースが、前記リングは前記針ベース室内に位置しかつ前記ネック部は前記頂端板の前記開口部を介して針ベース室から外方に突出するように、前記針ベース室内に組み付けられ、この際、ネック部に設けられた前記スプライン片は、前記開口部を形成している前記スプライン孔の前記突片に対応して前記頂端板の外面に当接しており、使用後には、前記芯棒を前記針ベースに向けてさらに押し込むことにより、芯棒の前記ボス部が針ベースの前記キャビティに挿入係合するとともに、係止ヘッドが前記係止溝に係合し、前記ボス部が前記キャビティに挿入係合する際に、前記凸部が前記螺旋溝と係合し、このため芯棒が押し込まれることにより、該芯棒が前記芯棒位置決め板７に回転規制されつつ前記凸部が前記螺旋溝に沿って進行し、これにより針ベースが、前記スプライン片が前記頂端板の前記スプライン孔の前記凹溝に対応する位置に回転して、スプライン片がスプライン孔の凹溝を通過可能な状態とされ、その後芯棒を後方に引き抜くことにより、前記係止ヘッドと前記係止溝との係合作用によって、前記スプライン片が前記凹溝を通過して針ベースが芯棒と共に引き抜き方向に移動するよう構成されていることを特徴とする。
【０００７】
スプライン孔の突片に針ベースの旋回角度を規制するための位置規制凸台を設け、スプライン片の底部は係合角を有する傾斜面である。
【０００８】
リングのキャビティの先端部に係止溝を設け、キャビティの内壁に螺旋溝を設け、芯棒のボス部の先端部に、係止溝共同で係止機構を構成する係止ヘッドを設け、芯棒のボス部の側壁に螺旋溝と係合する凸部を設けている。
【０００９】
鍔部には、２つの半楕円状の芯棒位置決め板が嵌められて、芯棒位置決め板の中間部にＴ字型の溝を設け、２つの半楕円状の芯棒位置決め板が組み合わされて鍔部を被せるとき、その中間部は芯棒が直線運動しかできないように規制する十字型の溝になる。
【００１０】
ピストンは芯棒のシールディスク又はピストンヘッドとピストンリングとの組み合わせのいずれかであり、ピストンヘッドの側壁に１つ又は１つ以上の、ピストンリングが嵌装可能なピストン溝を設けている。
【００１１】
位置規制凸台は旋回角度が９０度を超えないように針ベースを規制して、スプライン片の底部は０〜２５度の係合角の傾斜面である。
【００１２】
スプライン孔に１つまたは１つ以上の凹溝を設け、針ベースの外壁に１つ又は１つ以上の、凹溝を貫通可能であるとともに形状が凹溝と同一であるスプライン片を設け、凹溝及びスプライン片の軸方向の形状は三角形、矩形、長方形、台形、セクター形、または半円形のいずれであっても良い。
【００１３】
リングのキャビティの内壁に１つ又は１つ以上の螺旋溝を設け、ピストンのボス部の側壁に１つ又は１つ以上の、螺旋溝と係合する凸部を設け、螺旋溝及び凸部の断面形状は三角形、矩形、長方形、台形、セクター形、または半円形のいずれであっても良い。
芯棒の基端部に引き破ることができる位置規制片を設けている。
【００１４】
本発明は、針ベース室における頂端板にスプライン孔と、突片と、凹溝とを設け、針ベースの外壁に凹溝を貫通可能のスプライン片を設け、スプライン片とリングの間にシールを嵌め入れるためのネック部を設け、且つ突片に針ベースの旋回角度を規制するための位置規制凸台を設けているので、針ベースを外筒における針ベース室にスライドさせ、スプラインをスプライン孔の凹溝に貫通させた後、右方向へ針ベースを旋回し、位置規制凸台に当たってそれ以上回れないまで旋回させる。このとき、スプライン片はスプライン孔の突片と軸方向に重なり合って、又スプライン片の底部は係合角を有する傾斜面であるため、スプライン片の底部の傾斜面によって、針ベース室の頂端板と、シールと、針ベースとの間が旋回角度の増大に伴ってますます固くなり、外筒の密閉性を達成する上に、針ベースがしっかり外筒に固定されることになる。しかも、針ベースの末端のリングの外径と外筒の内径の間は遊嵌であるので、針ベースはスプライン孔へ進入するとき、又はスプライン孔から退出するときに抵抗力が小さくて済み、組み立て時にも針ベースを後退させる時にもスムーズである。
【００１５】
本発明は、リングのキャビティの内壁に螺旋溝を設け、ピストンのボス部の側壁に螺旋溝と係合する凸部を設け、螺旋溝と凸部により螺旋機構を構成し、この機構はシングルヘッド又はマルチヘッドねじ構成を用い、芯棒が直線運動をする場合に、凸部は螺旋溝に嵌入させて、針ベースを自動的に逆方向へ旋回させ、針ベースにおけるスプライン片と針ベース室の頂端板におけるスプライン孔の凹溝とが対応した状態に戻り、この場合に、スプライン片がスプライン孔の凹溝をスムーズに通ることが可能になる。針ベースが逆方向へ旋回し、所定の位置に着くとともに、芯棒の凸部の先端部における係止ヘッドも所定の位置について、リングのキャビティの先端部における係止溝に挿入さされて、互いに一体に係合し、係止ヘッドと係止溝は共同して係止機構になり、芯棒を後退させると、針とともに針ベースを外筒の中に引っ張り込むことになる。再度芯棒を押圧して針の針チューブを螺旋状に潰して、更に芯棒を折って切ると、注射器は破壊されて再度使用できなくなり、医療従事者は再度針に触る必要がなくなり、そこで確実に患者及び医療従事者への双方向保護が実現される。
【００１６】
本発明において、針ベースと、針ベース室と、シールは汎用部品であり、この３つの部品からなる針ベースユニットは直挿継ぎ手式及びねじ継ぎ手式の２種類に分けられ、針ベースユニットを外筒の中心線に重なる位置又は重ならない位置に取り付けると、さまざまな仕様の中芯ヘッド式又は偏芯ヘッド式安全注射器を構成することができる。異なるピストンを採用すれば、さまざまな使用のスリーピース又はツーピース安全注射器を構成することができる。
【００１７】
本発明は以下の特徴点を有している。
１．構成が簡単で、密閉が確実で、針ベースをしっかり外筒に連結することができる。
２．標準の針を用い、使用が便利である。
３．通常の操作をし、医療従事者は余分の動作をしなくても、針ベースと外筒間の連結をスムーズ且つ自動的に解放し、針ベースを針とともに外筒の内部へスムーズに引き戻すことができ、且つ破壊可能で、一回のみの使用が確実にできる。
４．さまざまな仕様のツーピース、スリーピース、中芯ヘッド式、偏芯ヘッド式、直挿継ぎ手式及びねじ継ぎ手式のオートディスエーブル安全注射器を作製することができる。
【００１８】
本発明は、確実に患者と医療従事者をともに保護することができ、患者間の交差感染を防止できるとともに、医療従事者が使用済みの針による突き刺しを蒙って感染することを回避できる、新型の安全注射器である。
【発明を実施するための最良の形態】
【００１９】
以下、実施例に結びつけて添付図面に基づいて本発明を更に詳しく説明する。
【００２０】
＜第一実施例＞
ツーピース型中芯ヘッド式ねじ継ぎ手安全注射器
本発明は針１と、針ベース２と、シール３と、ピストン４と、芯棒５と、外筒６と、芯棒位置決め板７により構成され、外筒６の底部に楕円状の鍔部６９が設けられている。
【００２１】
外筒６の頂部における段付部６１の先端にリング状の針ベース室６２が設けられている。針ベース室６２のセンターは外筒６のセンターと同心となっており、針ベース室６２における頂端板６３にはスプライン孔６４が設けられている。すなわち、頂端板６３の開口部の内周面にはスプライン孔６４を構成する突片６５が設けられ、この突片６５に針ベース２の旋回角度を規制するための位置規制凸台６６が設けられ、隣接する突片６５との間はスプライン孔６４の凹溝６７になり、凹溝６７は４つの溝６７１、６７２、６７３、６７４を含む。針ベース２の先端はスプライン孔６４を貫通可能な円錐継ぎ手２６であり、この円錐継ぎ手２６はねじ式であり、後端部はリング２２であり、針ベース２の外壁に凹溝６７を貫通可能なスプライン片２１が設けられ、スプライン片２１とリング２２の間にはシール３を嵌め込むためのネック部２５が設けられている。スプライン片２１の数はスプライン孔６４の凹溝６７と同一であって、２１１、２１２、２１３、２１４の４つであり、スプライン片２１の底部は係合角２８を有する傾斜面である。リング２２のキャビティ２７の先端部には係止溝２３が設けられ、キャビティ２７の内壁には螺旋溝２４が設けられている。ピストン４は芯棒５のシールディスク５５であり、芯棒５のボス部５６の先端部に、係止溝２３と協働して係止機構を構成する係止ヘッド５１が設けられ、ボス部５６の側壁に螺旋溝２４と係合する凸部５２が設けられている。螺旋溝２４は４つのねじ溝２４１、２４２、２４３、２４４により構成される右回り４ヘッド雌ねじであり、凸部５２は４つの円柱５２１、５２２、５２３、５２４により構成される４ヘッド雄ねじである。
【００２２】
芯棒５の基端部のリブの１つである５３には四角状の引きちぎることができる位置規制片５４が設けられている。
【００２３】
鍔部６９には、２つの半楕円状の芯棒位置決め板７が嵌められる。芯棒位置決め板７の中間部にはＴ字型の溝が設けられ、２つの半楕円状の芯棒位置決め板７を組み合わせて鍔部６９に被せると、その中間部は芯棒５が直線運動しかできないように規制する十字型の溝になる。
【００２４】
位置規制凸台６６は、針ベース２の旋回角度が９０度を超えないように規制する。スプライン片２１の底部は０〜２５度の係合角２８の傾斜面である。
【００２５】
凹溝６７及びスプライン片２１の軸方向の形状は三角形、矩形、長方形、台形、セクター形、または半円形のいずれであっても良い。螺旋溝２４及び凸部５２の断面形状は三角形、矩形、長方形、台形、セクター形、または半円形のいずれであっても良い。
【００２６】
組み立てる場合に、まずシール３を針ベース２のネック部２５にセットし、針ベース２を外筒６における針ベース室６２に滑り込ませ、スプライン片２１をスプライン孔６４の凹溝６７に貫通させた後、右方向へ針ベース２を旋回し、位置規制凸台６６に当たってそれ以上回れないまで旋回する。このとき、スプライン片２１はスプライン孔６４の突片６５とは位置がずれた状態で重なり合って、周方向の噛み合いを形成し、スプライン片２１の底部は係合角２８を有する傾斜面であるため、旋回角度の増大に伴って針ベース室６２の小ボトムカバー６３と、シール３と、針ベース２との間がますます緊締状態となり、針ベース２がしっかりと外筒６に固定されることになる。ツーピース型芯棒５を装着して、芯棒５のいずれかの縁５３を外筒６の鍔部６９の短軸６８の方向と一致させ、かつ芯棒５の末端の位置規制片５４を外筒の鍔部６９の外側に位置させ、２つの芯棒位置決め板７を取り付けて、位置規制片５４がちょうど芯棒位置決め板７と当接するまで芯棒５を押圧する。
【００２７】
使用時には、まず手で位置規制片５４を引きちぎれば、注射器は通常使用可能な状態になる。注射の全過程において、芯棒位置決め板７の位置決めにより、芯棒５は外筒６の中心線と平行する方向での直線運動のみができる。注射完了の直前に、芯棒５の４つの凸部５２１、５２２、５２３、５２４はそれぞれ針ベース２の４つの螺旋溝２４１、２４２、２４３、２４４と噛み合うこととなり、芯棒５の進入にしたがって、芯棒５の凸部５２は螺旋溝２４によって針ベース２を逆方向に旋回させ、スプライン片２１とスプライン孔６４の凹溝６７とが互いに対応した状態に戻る。針ベース２が逆方向へ旋回し、所定の位置につくとともに、針ベース２の係止溝２３と芯棒５の係止ヘッド５１も所定の位置について、互いに一体に係合し、芯棒５を引き戻すと、針ベース２を針１とともに外筒６の中に引き入れることになる。再度芯棒５を押し戻して針１の針チューブを螺旋状に潰し、更に芯棒５を折って切ると、注射器は破壊されて再使用できなくなる。
【００２８】
＜第二実施例＞
スリーピース型バイアスヘッド式直挿継ぎ手安全注射器
第二実施例の針１、針ベース２と、シール３と、芯棒５と、外筒６と、芯棒位置決め板７の構造は基本的に第一実施例と同じであり、異なる点は以下の通りである。
【００２９】
第二実施例の外筒は偏芯ヘッド式であり、針ベース室６２の中心線は外筒６の中心線と平行で、且つ外筒６の鍔部６９の短軸６８上に位置する。
針ベース２の先端における円錐継ぎ手２６は直挿型である。
ピストン４は芯棒５のピストンヘッド５８とピストンリング５９との組み合わせでなり、ピストンヘッド５８の側壁にはピストンリング５９が嵌装可能なピストン溝５７を２つ設けている。
【００３０】
第二実施例の組み立てと使用は第一実施例と同じである。
【図面の簡単な説明】
【００３１】
【図１】ツーピース型中芯ヘッド式ねじ継ぎ手安全注射器、即ち第一実施例の構成を示す図である。
【図２】第一実施例における外筒の構成を示す図である。
【図３】図２に示した外筒の平面図である。
【図４】第一実施例におけるねじ継ぎ手針ベースの断面図である。
【図５】図４に示した針ベースの右側面図である。
【図６】図４に示した針ベースの左側面図である。
【図７】スプライン座のＡ方向矢視図である。
【図８】第一実施例における芯棒の構成を示す図である。
【図９】図８に示した芯棒の平面図である。
【図１０】第一実施例において２つの芯棒位置決め板が組み合わされている構成を示す図である。
【図１１】一つの芯棒位置決め板の半切断図である。
【図１２】ツーピース型中芯ヘッド式ねじ継ぎ手安全注射器の使用完了後の状態図である。
【図１３】スリーピース型偏芯ヘッド式直挿継ぎ手安全注射器、即ち第二実施例の構成を示す図である。
【図１４】第二実施例における外筒の構成を示す図である。
【図１５】図１４に示した外筒の平面図である。
【図１６】第二実施例における直挿継ぎ手針ベースの断面図である。
【図１７】図１６に示した針ベースの右側面図である。
【図１８】図１６に示した針ベースの左側面図である。
【図１９】第二実施例における芯棒の構成を示す図である。
【図２０】図１９に示した芯棒の平面図である。
【図２１】スリーピース型偏芯ヘッド式直挿継ぎ手安全注射器の使用完了後の状態図である。
【符号の説明】
【００３２】
１  針
２  針ベース
３  シール
４  ピストン
５  芯棒
６  外筒
７  芯棒位置決め板
２１  スプライン片
２２  リング
２６  円錐継手
６１  段付部
６２  針ベース室
６３  頂端板
６４  スプライン孔
６５  突片
６７  凹溝
６９  鍔部
【図１】
0004015640.tif 000002
【図２】
0004015640.tif 000003
【図３】
0004015640.tif 000004
【図４】
0004015640.tif 000005
【図５】
0004015640.tif 000006
【図６】
0004015640.tif 000007
【図７】
0004015640.tif 000008
【図８】
0004015640.tif 000009
【図９】
0004015640.tif 000010
【図１０】
0004015640.tif 000011
【図１１】
0004015640.tif 000012
【図１２】
0004015640.tif 000013
【図１３】
0004015640.tif 000014
【図１４】
0004015640.tif 000015
【図１５】
0004015640.tif 000016
【図１６】
0004015640.tif 000017
【図１７】
0004015640.tif 000018
【図１８】
0004015640.tif 000019
【図１９】
0004015640.tif 000020
【図２０】
0004015640.tif 000021
【図２１】
0004015640.tif 000022